(57)【要約】      （修正有）【課題】綴じられる写真や絵画等を容易に綴じ込み及び取り出しすることができるアルバムを提供する。【解決手段】台紙３を束ね、外面に連なる外面方向に延出する第１溝部５ｃと第１溝部５ｃに連なり長手方向に延出する第２溝部５ｄとを設けたフック溝を有する束ね部材５と、束ね部材５を収容する収容溝４ｇを有し、収容溝４ｇの壁面から突出するフック棒７を有する綴じ箱４と、綴じ箱４の収容溝４ｇに面する面からの突出量が可変であり、突出量が大きいときに束ね部材５の収容溝４ｇからの取り外しを制限するロック部材４０と、を備える。ロック部材４０は、突出量が少ないときに束ね部材５の移動を許容し、突出量が大きいときに束ね部材５の移動を制限する。【選択図】図１０
0003179933.tif 000002
【実用新案登録請求の範囲】
【請求項１】
台紙と、
該台紙を束ね、外面に連なる外面方向に延出する第１溝部と、該第１溝部に連なり長手方向に延出する第２溝部とを設けたフック溝を有する束ね部材と、
該束ね部材を収容する収容溝を有し、該収容溝の壁面から突出する突出部を有する収容部材と、
該収容部材の一部に支持され、前記収容部材の前記収容溝に面する面からの突出量が可変であり、該突出量が大きいときに前記束ね部材の前記収容溝からの取り外しを制限する制限部材と、を備え、
前記束ね部材は、前記第１溝部に前記突出部が挿通され前記収容溝内に収容され、前記第２溝部の範囲で移動可能に前記突出部に支持され、該突出部が前記第２溝部の範囲のうちの前記第１溝部の延長上にある第１の位置にあるときに前記収容部材に取付け又は前記収容部材からの取り外しが可能となり、それ以外の第２の位置にあるときに前記収容部材に取付け又は前記収容部材からの取り外しが不能となるように形成され、
前記制限部材は、前記突出量が少ないときに前記束ね部材の前記第１の位置への移動を許容し、前記突出量が大きいときに前記束ね部材の前記第１の位置への移動を制限して前記第２の位置に保持することを特徴とするアルバム。
【請求項２】
前記制限部材は、前記収容部材に取り付けられた可撓性シートに少なくとも一部を覆われており、前記可撓性シートと前記収容部材との取付部を中心に回動可能に支持されていることを特徴とする請求項１に記載のアルバム。
【請求項３】
前記制限部材は、扇形の扇形部と該扇形を形成する円弧の接線方向に延出する方形の方形部とが組み合わせられて成る断面形状を有し、
前記制限部材が前記収容溝内に収容された状態のときに、前記方形部は、前記束ね部材の前記収容溝への挿入方向に並行して延出し、前記扇形部は、前記方形部から前記収容溝内の下側にあり前記収容部材に支持される側の頂点を中心として前記制限部材の回動方向に沿う円弧を形成することを特徴とする請求項１又は２に記載のアルバム。
【請求項４】
前記収容部材には、前記可撓性シートの前記取付部と前記制限部材との間であり、前記収容溝に面する位置に、面取り部が形成されていることを特徴とする請求項２又は３に記載のアルバム。
【請求項５】
前記制限部材は、弾性部材から成り、押圧されて弾性変形することを特徴とする請求項１に記載のアルバム。
【請求項６】
前記制限部材又は前記束ね部材における互いに当接する一部は弾性部材から成り、
前記制限部材は、蝶番によって前記収容部材に回動可能に支持されていることを特徴とする請求項１に記載のアルバム。
【請求項７】
前記蝶番は、前記制限部材を前記収容溝内側に付勢する付勢部を有することを特徴とする請求項６に記載のアルバム。
【請求項８】
前記収容部材は、前記制限部材に対向する位置に挿通孔を有し、
前記制限部材は、前記挿通孔を挿通する挿通部材によって押圧されることで、前記突出量が変化することを特徴とする請求項１乃至７のいずれか１項に記載のアルバム。
【請求項９】
前記束ね部材は、前記制限部材に対向する対向面の一部が前記制限部材の一部を覆うように“く”の字状に傾斜して形成されていることを特徴とする請求項１乃至８のいずれか１項に記載のアルバム。
【考案の詳細な説明】
【技術分野】
【０００１】
本考案は、アルバムに係り、特に、綴じ込まれる写真や絵画又はこれらを保持する台紙等を容易に綴じ込み及び取り出しすることができるアルバムに関する。
【背景技術】
【０００２】
従来から、写真や絵画等の整理及び保存のため、アルバム、バインダー式ファイル、クリアーファイル等が用いられている。そして、これらアルバムやファイル等は様々な種類があり、目的に応じた外観や形式のものが適宜選択して用いられる。
【０００３】
例えば、特許文献１には、台紙を連綴してなるアルバムであって、一対の表紙部材と、一対の表紙部材の間に配設される断面コ字状の台紙綴じ箱（以下、綴じ箱と記載）と、一対の表紙部材が開閉自在になるように綴じ箱に連結する表皮材と、台紙を挟持する一対の挟持部材と、挟持部材及び台紙の厚み方向に貫通するように挿通されて台紙を連綴する連綴部材と、挟持部材に嵌着されることにより、連綴部材及び挟持部材が一対の表紙部材の間から抜け落ちることを防止する抜け止め部材と、を備えるアルバムが開示されている。挟持部材と連綴部材と抜け止め部材とは、綴じ箱の内部に形成される凹溝内に配設され、少なくとも挟持部材及び連綴部材は、綴じ箱に対して着脱可能に配設されている。
【０００４】
抜け止め部材は、貫通孔を有する本体部と、貫通孔に挿通して突出する突出片を有する。また、抜け止め部材の本体部は、凹溝の底方向に向かって綴じ箱に配設されたときに、挟持部材に当接する当接部を有する。また、抜け止め部材は、綴じ箱の凹溝内における長手方向の両端部に設けられて、貫通孔を挿通する突出片が綴じ箱の対向する板である保護板の挿入孔に挿入されることで、綴じ箱に取り付けられる。保護板に嵌着された抜け止め部材は、台紙を挟持する挟持部材に、当接部が当接することによって、綴じ箱から挟持部材が不意に抜け落ちることを防止する。
【０００５】
また、抜け止め部材は、アルバムを構成する部品を組み付け後であっても、突出片と保護板との固定を解除して、綴じ箱から取り外すことができることで、台紙及び挟持部材を一体的に取り外すことが可能となり、台紙の入替えができるというものである。
【先行技術文献】
【特許文献】
【０００６】
【特許文献１】実用新案登録第３１７２１９８号公報
【考案の概要】
【考案が解決しようとする課題】
【０００７】
上記のように、特許文献１に開示されたアルバムにおいて、抜け止め部材を取り付ける際には、突出片を、本体部の貫通孔から保護板の挿入孔へと挿通させる必要がある。この突出片の挿通作業は、長手方向の内側に台紙があるため、挿通方向の目視がしづらく作業が困難であり、台紙が作業の邪魔となっていた。
【０００８】
また、台紙を綴じ箱から着脱するには、抜け止め部材を綴じ箱から取り外す必要がある。この抜け止め部材を取り外すには、上述の綴じ箱の保護板と抜け止め部材の貫通孔を挿通する突出片との固定を解除しなくてはならない。保護板と突出片と抜け止め部材とは、別個に形成されており、更に、突出片及び抜け止め部材は、アルバムと比較して小さな部品である。このため、保護板と突出片との嵌着の解除された後に、突出片や抜け止め部材を紛失してしまうことがあった。
【０００９】
本考案は、かかる問題に鑑みてなされたものであり、その目的は、台紙の入替えが容易であるアルバムを提供することにある。
【課題を解決するための手段】
【００１０】
上記課題は、本考案のアルバムによれば、台紙と、該台紙を束ね、外面に連なる外面方向に延出する第１溝部と、該第１溝部に連なり長手方向に延出する第２溝部とを設けたフック溝を有する束ね部材と、該束ね部材を収容する収容溝を有し、該収容溝の壁面から突出する突出部を有する収容部材と、該収容部材の一部に支持され、前記収容部材の前記収容溝に面する面からの突出量が可変であり、該突出量が大きいときに前記束ね部材の前記収容溝からの取り外しを制限する制限部材と、を備え、前記束ね部材は、前記第１溝部に前記突出部が挿通され前記収容溝内に収容され、前記第２溝部の範囲で移動可能に前記突出部に支持され、該突出部が前記第２溝部の範囲のうちの前記第１溝部の延長上にある第１の位置にあるときに前記収容部材に取付け又は前記収容部材からの取り外しが可能となり、それ以外の第２の位置にあるときに前記収容部材に取付け又は前記収容部材からの取り外しが不能となるように形成され、前記制限部材は、前記突出量が少ないときに前記束ね部材の前記第１の位置への移動を許容し、前記突出量が大きいときに前記束ね部材の前記第１の位置への移動を制限して前記第２の位置に保持すること、により解決される。
【００１１】
これにより、制限部材の突出量を調整することで、台紙及び束ね部材を収容部材から容易に着脱することができ、台紙の差し替えが容易になる。
【００１２】
また、前記制限部材は、前記収容部材に取り付けられた可撓性シートに少なくとも一部を覆われており、前記可撓性シートと前記収容部材との取付部を中心に回動可能に支持されているものであってもよい。
このように制限部材が可撓性シートによって支持されていることで、例えば、可撓性を有する化粧紙等の元来用いられる表皮材によって、制限部材を支持することができ、別個の部品を要さない。
【００１３】
また、前記制限部材は、扇形の扇形部と該扇形を形成する円弧の接線方向に延出する方形の方形部とが組み合わせられて成る断面形状を有し、前記制限部材が前記収容溝内に収容された状態のときに、前記方形部は、前記束ね部材の前記収容溝への挿入方向に並行して延出し、前記扇形部は、前記方形部から前記収容溝内の下側にあり前記収容部材に支持される側の頂点を中心として前記制限部材の回動方向に沿う円弧を形成するようにしてもよい。
このように形成された制限部材は、収容溝内に収容された状態から回動するにつれて、収容溝に面する面からの突出量が大きくなるため、不意に抜け出ることを防ぐことができる。
【００１４】
更に、前記収容部材には、前記可撓性シートの前記取付部と前記制限部材との間であり、前記収容溝に面する位置に、面取り部が形成されていると好適である。
このように収容部材が面取り部を有することで、所定の回動状態において面取り部に回動中心が移動可能となり、制限部材が円滑に回動することになる。このため、所定の回動状態とする意図的な収容部材への操作によって、制限部材を無理なく回動させることができる。
【００１５】
また、前記制限部材は、弾性部材から成り、押圧されて弾性変形するものであってもよい。
このようにすることで、制限部材それ自体の変形によって収容溝に面する面からの突出量が可変となり、回動機構を要さないために部品点数を減らすことができる。また、可撓性シートを有さないアルバムにも回動機構を設けることができる。
【００１６】
また、前記制限部材又は前記束ね部材における互いに当接する一部は弾性部材から成り、前記制限部材は、蝶番によって前記収容部材に回動可能に支持されているようにしてもよい。
このように、制限部材が蝶番によって回動可能に支持されていることで、可撓性シートを有さないアルバムにも回動機構を設けることができる。更に、ビスによって蝶番を制限部材及び収容部材に固定することで、可撓性シートを用いるものや接着剤を用いるものよりも回動機構を長寿命にすることができる。
【００１７】
更に、前記蝶番は、前記制限部材を前記収容溝内側に付勢する付勢部を有するようにしてもよい。
このようにすることで、付勢部の付勢によって、制限部材が不意に回動することを防ぐことができる。
【００１８】
更に、前記収容部材は、前記制限部材に対向する位置に挿通孔を有し、前記制限部材は、前記挿通孔を挿通する挿通部材によって押圧されることで、前記突出量が変化するようにしてもよい。
このようにすることで、挿通部材で制限部材を押圧するという意図的な操作によって、突出量を変化させ、制限部材を回動させることができる。
【００１９】
また、前記束ね部材は、前記制限部材に対向する対向面の一部が前記制限部材の一部を覆うように“く”の字状に傾斜して形成されているものでもよい。
このようにすることで、束ね部材の対向面が制限部材に当接することで、制限部材の移動（又は変形）を妨げ、不意に束ね部材が収容部材からはずれることを防ぐことができる。  
【考案の効果】
【００２０】
本考案のアルバムによれば、台紙の入替えが容易になる。
【図面の簡単な説明】
【００２１】
【図１】本考案の実施形態１に係るアルバムの斜視図である。
【図２】同実施形態１の（ａ）は、綴じ箱と束ね板との位置関係を示す平面図である。（ｂ）は、綴じ箱の側面図である。（ｃ）は、（ａ）に示された綴じ箱と束ね板の断面２Ｃ−２Ｃを示す断面矢視図である。
【図３】図２（ａ）に示されたロック部材付近の断面２Ｃ−２Ｃの一部を示す断面矢視図である。
【図４】同実施形態１のロック解除ピンを示す斜視図である。
【図５】図４のロック解除ピンでロック部材を回動させている状態を示す模式図である。
【図６】同実施形態１のロック部材の自重による回動状態を示す模式図である。
【図７】同実施形態１の台紙を束ね板で束ねる工程を示す斜視図である。
【図８】同実施形態１の束ね板を綴じ箱に収容する工程を示す斜視図である。
【図９】同実施形態１の（ａ）は、束ね板を綴じ箱に収容する工程を示す模式図である。（ｂ）は、束ね板を抜脱回避位置にスライドさせる工程を示す模式図である。（ｃ）は、ロック部材によって束ね板を固定する工程を示す模式図である。
【図１０】同実施形態１の（ａ）は、束ね板がロック部材によって固定されている状態を示す模式図である。（ｂ）は、ロック解除ピンでロック部材を回動させる工程を示す模式図である。（ｃ）は、束ね板を抜脱可能位置にスライドさせる工程を示す模式図である。（ｄ）は、束ね板を綴じ箱から取り出す工程を示す模式図である。
【図１１】第１変形実施例に係るロック部材を示し、（ａ）は、模式図である。（ｂ）は、ロック部材が回動している状態を示す模式図である。
【図１２】第２変形実施例に係るロック部材を示し、（ａ）は、模式図である。（ｂ）は、ロック解除ピンでロック部材を押圧する工程を示す模式図である。（ｃ）は、ロック部材が束ね板から外れた状態を示す模式図である。（ｄ）は、ロック部材を指先で押さえ、束ね板をスライドさせる工程を示す模式図である。
【図１３】第３変形実施例に係るロック部材を示し、（ａ）は、模式図である。（ｂ）は、ロック解除ピンでロック部材を回動させる工程を示す模式図である。（ｃ）は、ロック部材を収容溝から出し、束ね板を抜脱可能な位置にスライドさせる工程を示す模式図である。
【考案を実施するための形態】
【００２２】
以下に、本考案の実施形態１に係るアルバムについて、図を参照して説明する。なお、以下に説明する部材やその構成等は、本考案を限定するものではなく、本考案の趣旨に沿って各種改変することができることは勿論である。また、各図に示された部材は、必ずしも正確な比率の縮尺比率で示したものではなく、理解を容易にするために一部を拡大縮小して示されたものである。
【００２３】
まず、図１乃至図１０を参照して、実施形態１に係るアルバム１０について説明する。
アルバム１０は、図１に示すように、一対の表紙１，２と、複数の台紙３と、綴じ棒６によって台紙３を束ねる束ね部材としての一対の束ね板５と、束ね板５を収容する収容部材としての綴じ箱４とを備える。
【００２４】
一対の表紙１，２は、この実施形態１では、互いに略同じ形、同じ大きさを有し、後述の綴じ箱４とともに表皮材５０に覆われている。表皮材５０の材料としては可撓性材料が用いられ、紙、布、天然皮、人工皮、樹脂シート等を用いることができる。樹脂シートの材料としては、低密度ポリエチレン（ＬＤＰＥ）や高密度ポリエチレン（ＨＤＰＥ）などのポリエチレン（ＰＥ）、ポリプロピレン（ＰＰ）、ポリエステル（ＰＥＴＰ）、ポリウレタン（ＰＵ）、エチルビニル酢酸エステル（ＥＶＡ）、ポリ塩化ビニル（ＰＶＣ）などが挙げられる。
【００２５】
台紙３は、写真、絵画、版画等が印刷された紙、色紙等の厚紙の他、布、フィルム等である。また、台紙３は、木材等の弾性を有する材料で形成された円柱状の小片である綴じ棒６よりも大径であり、長手方向に所定の間隔で形成された綴じ棒６に挿通される６個の綴じ孔３ａを有する。台紙３は、綴じ棒６に綴じ孔３ａを挿通されて、束ね板５に連綴されている。
【００２６】
束ね板５は、台紙３を挿通する綴じ棒６が渡されて台紙を束ねる一対の板であり、綴じ棒６の径よりも僅かに小さな径で形成され、長手方向に所定の間隔で形成されたここでは６個の貫通孔５ａをそれぞれ対向する位置に有する。６個の貫通孔５ａは、一対の束ね板５を連通する方向に形成されており、径方向に圧縮された綴じ棒６が挿入されることによって、綴じ棒６を弾接支持するためのものである。なお、図２（ａ）に示すように、一対の束ね板５の外面間隔は、綴じ棒６の長さと略同じである。
【００２７】
また、一対の束ね板５は、図２（ｃ）に示すように、貫通孔５ａの並ぶ側の他側に、長手方向に所定の間隔で形成されたここでは４個の逆Ｌ字状のフック溝５ｂをそれぞれ対向する位置に有する。フック溝５ｂは、外面に連なる外面方向に延出する第１溝部５ｃと、第１溝部５ｃに連なり長手方向に延出する第２溝部５ｄとから構成されている。詳細については後述するがフック溝５ｂは、後述のフック棒７との位置関係によって、綴じ箱４へ束ね板５ｂを取付け可能な状態と、綴じ箱４から束ね板５ｂを取り外し可能な状態とに変更するために形成されているものである。
【００２８】
また、一対の束ね板５は、長軸方向における一端に、板厚方向に延出する断面“く”の字状の斜面から成る切欠き部５ｅを有する。切欠き部５ｅは、後述する制限部材としてのロック部材４０が収容溝４ｇ内に収容されている状態（以下において、収容状態と記載）において、ロック部材４０に当接する寸法で形成されている。切欠き部５ｅは、その斜面に、後述するロック部材４０が当接し、ロック部材４０が抜脱する際に、抜脱方向に対して逆方向の抗力をロック部材４０に付加することで、ロック部材４０の意図せぬ抜脱を防ぐ機能を有する。
【００２９】
綴じ箱４は、底板４ａと、底板４ａから立設する１対の長側板４ｂと、底板４ａから立設し長側板４ｂの両端部に挟まれるようにして設けられた第１短側板４ｃ及び第２短側板４ｄと、から構成され、一対の表紙１，２とともに表皮材５０に覆われている。綴じ箱４は、底板４ａと、１対の長側板４ｂと、第１短側板４ｃと、第２短側板４ｄとに囲まれてなる収容溝４ｇに、一対の束ね板５を収容するものである。
【００３０】
底板４ａには、後述するロック部材４０に対向する位置であって、後述する接着端部４０ｄよりも束ね板５側の位置に、後述するロック解除ピン８を挿通するための挿通孔、ここではピン孔４ｆが、表皮材５０を貫通して形成されている。
【００３１】
１対の長側板４ｂは、突出部を形成するフック棒７の径よりも僅かに小さな径で形成され、フック棒７を支持し、長手方向に所定の間隔で形成されたそれぞれ４個の貫通孔４ｈを有する。４個の貫通孔４ｈは、径方向に圧縮されたフック棒７が挿入されることによって、綴じ棒６を弾接支持するためのものである。また、１対の長側板４ｂには、表皮材５０に覆われた表紙１，２が表皮材５０で接続されている。
【００３２】
ここでの第１短側板４ｃは、長手方向における厚さが第２短側板４ｄの厚さの略半分の厚さで形成されており、第１短側板４ｃには、図３に示すように、表皮材５０に覆われた回転ロック部材４０（以下、ロック部材４０と記載）が表皮材５０で接続されている。また、第１短側板４ｃには、収容溝４ｇに面する面と図３における上面との間に面取り部４ｅが形成されている。
【００３３】
ロック部材４０は、長側板４ｂに平行であり底板４ａに垂直である断面（以下において、縦断面と記載する）の形状が、半径約４ミリ、中心角９０度の扇形部４０ａと、扇形部４０ａを形成する円弧の接線の方向に約１ミリ延出する長方形部４０ｂとが組み合わされた形状であり、綴じ箱４の短手方向に延出して形成されている。
【００３４】
また、ロック部材４０は、収容溝４ｇに収容された状態において、扇形部４０ａが収容溝４ｇの底側に面し、長方形部４０ｂが外側に面する向きになるように、第１短側板４ｃの外面を覆う表皮材５０に接着されている。表皮材５０の端部は、第１短側板４ｃの収容溝４ｇに面する面の一部を覆うように接着されている。
【００３５】
ここで、第１短側板４ｃにおいて、表皮材５０が面取り部４ｅに接着している部分の端部を接着端部４０ｃと定義する。同様に、ロック部材４０において、表皮材５０が接着している部分の端部であって、接着端部４０ｃに表皮材５０を介して接続された部分を接着端部４０ｄと定義する。この接着端部４０ｄは、ロック部材４０の縦断面における扇形部４０ａの中心点近傍にある長方形部４０ｂの角近傍から綴じ箱４の短手方向に延出する部位である。
ロック部材４０は、表皮材５０を介して、接着端部４０ｃ及び接着端部４０ｄを中心として回動可能に、第１短側板４ｃに支持されている。このように構成されていることで、ロック部材４０は、詳細については後述するが、図４に示すように、ピン孔４ｆを挿通するロック解除ピン８（以下、ピン８と記載）によって接着端部４０ｃ及び接着端部４０ｄを中心に回動することとなる。
【００３６】
ロック部材４０の回動動作について具体的に説明する。ロック部材４０は、ピン８によって押圧されると、図５における上方に移動するとともに、面取り部４ｅ側に移動するため、第１短側板４ｃからの突出量が小さくなる。ロック部材４０は、第１短側板４ｃからの突出量が小さくなると、切欠き部５ｅから受ける摩擦力が小さくなるため、又は切欠き部５ｅから離間するため、収容溝４ｇから離間する方向である上方に回動可能となる。
【００３７】
ロック部材４０は、上記のように、扇形部４０ａと長方形部４０ｂとが一体的に形成された断面形状を有し、ロック部材４０の長方形部４０ｂの角近傍から綴じ箱４の短手方向に延出した部位に接着端部４０ｄが設けられている。
【００３８】
このように構成されているロック部材４０について、収容溝４が鉛直下向きとなるように綴じ箱４が向けられた図６に模式的に示す状態において、収容状態にあるロック部材４０に自重がかかる場合を想定する。
ロック部材４０に鉛直下向きの自重がかかる場合には、接着端部４０ｄが移動せず、回動中心となる接着端部４０ｃ又は接着端部４０ｄを中心に回動すると、第１短側板４ｃからの突出量が回動に伴って大きくなる。具体的には、第１短側板４ｃからのロック部材４０の突出量は、収容溝４内に収容された状態において、図６に示す長方形部４０ｂの長辺の長さＬａであり、ロック部材４０の回動に応じて増加し、長方形部４０ｂにおける接着端部４０ｄの対角の位置まで回動すると長方形部４０ｂの対角線の長さＬｂとなる。更に、ロック部材４０の突出量は、ロック部材４０の回動に応じて増加し、ロック部材４０が収容溝４から抜脱する直前の位置まで回動すると、扇形部４０ａの径と長方形部４０ｂの短辺とを合わせた長さである長さＬｃとなり、最大となる。
このため、ロック部材４０は、束ね板５の切欠き部５ｅに当接して摩擦力が加わるため、所定量までの回動量に制限され、図５における上方に収容溝４ｇから完全に抜け出すことはない。
【００３９】
一方、ロック部材４０がピン８によって押圧される場合には、ロック部材４０が回動時に束ね板５に接触したとしても、図５に示すように、回動中心となる接着端部４０ｄが面取り部４ｅ側に移動する。このため、束ね板５による摩擦力を超える所定以上の引張り力を、ピン８を介してロック部材４０に付加することで、ロック部材４０を回動させて、束ね板５及び第１短側板４ｃから上方に突出させることができる。更に、指先で突出したロック部材４０を把持して引っ張ることで、ロック部材４０を収容溝４ｇから図５における上方に完全に抜脱することができる。
【００４０】
次に、束ね板５を綴じ箱４に取り付ける方法について図７乃至８を参照して説明する。
【００４１】
まず、図７に示すように、一対の束ね板５のうち、一方の束ね板５の６個の貫通孔５ａそれぞれに、６個の綴じ棒６をそれぞれ挿入する。次に、束ねられた台紙３の６個の綴じ孔３ａのそれぞれが６個の綴じ棒６を挿通するように、一方の束ね板５に台紙３を取り付ける。次に、他方の束ね板５の６個の貫通孔５ａそれぞれに、６個の綴じ棒６のそれぞれが通るように、他方の束ね板５を取り付ける。
【００４２】
次に、図８及び図９（ａ）に示すように、第２溝部５ｄが第１短側板４ｃ側に延出する向きに束ね板５を向け、ここでは４個の第１溝部５ｃが、綴じ箱４の４個のフック棒７のそれぞれを通るように、束ね板５を綴じ箱４に挿入する。
【００４３】
次に、図９（ｂ）に示すように、束ね板５を、第１短側板４ｃから第２短側板４ｄ側に、換言すると、フック棒７が相対的に第１溝部５ｃから第２溝部５ｄが延出する方向に移動するように移動させる。
【００４４】
次に、図９（ｃ）に示すように、ロック部材４０を、収容溝４ｇの外側から内側に回動させて、束ね板５に弾接した状態となるまで押し込む。このようにして、束ね板５は、綴じ箱４の収容溝４ｇ内に保持される。
【００４５】
なお、ロック部材４０は、その断面が扇形部４０ａと長方形部４０ｂとが一体的である形状であるため、第１短側板４ｃから収容溝４ｇ側に突出する量は、上記のように、ロック部材４０が接着端部４０ｄを中心として回動するにつれて大きくなる。つまり、ロック部材４０は、回動するに従い、束ね板５と第１短側板４ｃとの間から外れにくくなる。
【００４６】
次に、束ね板５を綴じ箱４から取り外す方法について図１０を参照して説明する。
【００４７】
まず、図１０（ａ）に示す束ね板５が綴じ箱４の収容溝４ｇ内に保持された状態から、図１０（ｂ）に示すように、綴じ箱４のピン孔４ｆにピン８を挿し込み、ロック部材４０を押し上げる。
【００４８】
このときピン８は、ロック部材４０における扇形部４０ａの円弧面に当接するため、円弧の略中心方向に力が加わる。この円弧の略中心方向は、図５に示す回動中心となる接着端部４０ｄから第１短側板４ｃの面取り部４ｅに向かう方向であり、この力によって、ロック部材４０は、接着端部４０ｄが面取り部４ｅ方向に移動するように、移動する。このように回動中心である接着端部４０ｄが面取り部４ｅに移動することで、ロック部材４０が回動する際の第１短側板４ｃからの突出量が小さくなり、束ね板５に当接することによる摩擦力が抑えられ、収容溝４ｇからのロック部材４０の抜脱が可能となる。
【００４９】
更に、押し上げられたロック部材４０を指先で押し上げて、接着端部４０ｃ，４０ｄを中心に回動させ、ロック部材４０を収容溝４ｇから抜き出す。
【００５０】
次に、図１０（ｃ）に示すように、収容溝４ｇ内からロック部材４０が抜き出されたことで、束ね板５をスライドする空間ができているため、その空間に向けて束ね板５をスライドさせる。このように束ね板５をスライドさせると、綴じ箱４に固定されたフック棒７は、第２溝部５ｄの範囲内で第１溝部５ｃに重なる範囲に相対的に移動する。つまり、第１溝部５ｃの範囲内にあるフック棒７があるため、収容溝４ｇからの束ね板５の抜き出しをフック棒７によって阻害されない状態となる。
【００５１】
次に、図１０（ｄ）に示すように、収容溝４ｇから束ね板５を、底板４ａに垂直に、換言すると、第１溝部５ｃの延出方向と平行に引き抜く。このように、ピン８を用いるのみで、綴じ箱４から束ね板５を容易に引き抜くことができる。束ね板５を綴じ箱４から取り出すことで、台紙３を束ね板５に追加したり、台紙３を束ね板５から取り出し、写真を貼り付けたり、字を書いたり、絵を描いたりした後に、束ね板５を綴じ箱４に取り付けることができる。
【００５２】
上記実施形態１に係るアルバム１０によれば、ピン８によってロック部材４０を押圧しない限り、接着端部４０ｃ，４０ｄを中心にロック部材４０は回動しづらく、ロック部材４０が収容溝４ｇから不意に外れることを回避することができる。一方、束ね板５の綴じ箱４への固定は、ロック部材４０を収容溝４ｇ方向に押し下げることのみで容易に成される。
【００５３】
（ロック部材の第１変形実施例）
上記実施形態１において、ロック部材４０は、扇形部４０ａと長方形部４０ｂとが組み合わせられた断面形状を有するものとして説明したが、本考案はこのような構成に限定されない。次に、図１１を参照して、第１変形実施例に係るロック部材４１を説明する。なお、以下の説明において、特に言及しない場合は、実施形態１に係るアルバム１０の構成と同一の構成のアルバムであるものとする。
【００５４】
第１変形実施例に係るロック部材４１は、図１１（ａ）に示すように、縦断面が長方形であり、綴じ箱４の幅方向（短手方向）に延出した形状を有する。また、ロック部材４１は、実施形態１におけるロック部材４０と同様に、表皮材５０に接着されて、第１短側板４ｃに回動可能に接続されている。なお、表皮材５０は、第１短側板４ｃにおいて、表皮材５０が収容溝４ｇに面する面に接着している部分における端部であって、接着端部４０ｄに表皮材５０を介して接続された部分を接着端部４０ｃ２と定義する。なお、上記実施形態１と異なり、表皮材５０は、面取り部４ｅに接着されておらず、ロック部材４１の側面に沿うようにロック部材４１と第１短側板４ｃとに接続されている。
【００５５】
ロック部材４１は、その断面が長方形状であるため、断面に扇形を含むロック部材４０よりも、回動に伴う突出量の変化が大きくなる。このような場合であっても、図１１（ｂ）に示すように、面取り部４ｅを突出量の変化の大きさに応じた大きな幅で形成されたものであれば、ロック部材４１を収容溝４ｇから抜け出させることができる。具体的には、ピン８でロック部材４１を押圧することでロック部材４１を押し上げるとともに、ロック部材４１の回動中心である接着端部４０ｃ２を面取り部４ｅに移動させて、ロック部材４１の収容溝４ｇへの突出を抑えることで、束ね板５から阻害されることなく、ロック部材４１を収容溝４ｇから抜けさせることができる。特に、上記のように、表皮材５０は、面取り部４ｅに接着されておらず、ロック部材４１の側面に沿うようにロック部材４１と第１短側板４ｃとに接続されている。このため、面取り部４ｅに、表皮材５０の収容空間が広く生じる。結果的に、ロック部材４１の回動時に、表皮材５０が面取り部４ｅに収容され、表皮材５０同士が互いに押し合うことを抑制できるため、ロック部材４１の回動を円滑に行うことができる。
【００５６】
（ロック部材の第２変形実施例）
上記実施形態１及び第１変形実施例においては、ロック部材４０及びロック部材４１は、表皮材５０に接着されて第１短側板４ｃに回動可能に接続されているものとして説明したが、本考案はこのような構成に限定されない。次に、図１２を参照して、第２変形実施例に係るロック部材４２を説明する。なお、以下の説明において、特に言及しない場合は、実施形態１に係るアルバム１０の構成と同一の構成のアルバムであるものとする。
【００５７】
第２変形実施例に係るロック部材４２は、樹脂又はゴム等の弾性材料で形成されており、縦断面が、図１２（ａ）に示すように、収容溝４ｇの底板４ａ側の辺が長く、底板４ａ側から離間する側の辺が短い台形状であり、綴じ箱４の短手方向に延出する形状を有する。綴じ箱４の第１短側板４ｃ２には、収容溝４ｇに面する面に垂直に形成され、短手方向に延出し、ロック部材４２が嵌着される取付溝４ｉが形成されている。
【００５８】
束ね板５を綴じ箱４に固定する際は、図９（ａ），（ｂ）に示された手順と同様に、収容溝４ｇに束ね板５を収容させてスライドさせた後、ロック部材４２を底板４ａに向けて押圧する。ロック部材４２は、このように押圧されることで、その先端が束ね板５に当接することで弾性変形し、第１短側板４ｃ２からの突出量が小さくなり、ロック部材４２の先端が切欠き部５ｅに対向する位置まで移動すると、切欠き部５ｅによるスペースの分だけ復元する。このように、ロック部材４２が復元した状態においては、束ね板５のスライドを制限し、束ね板５の収容溝４ｇからの意図せぬ抜脱を防止することができる。
【００５９】
次に、束ね板５を綴じ箱４から取り外す方法について図１２を参照して説明する。まず、図１２（ａ）に示す束ね板５が綴じ箱４の収容溝４ｇ内に保持された状態から、図１２（ｂ）に示すように、綴じ箱４のピン孔４ｆにピン８を挿し込み、ロック部材４２を押圧し、弾性変形させる。そして、図１２（ｃ）に示すように、ロック部材４２の先端が収容溝４ｇから突出するまでピン８によって押圧する。次に、図１２（ｄ）に示すように、指先でロック部材４２の先端を掴んで、第１短側板４ｃ２側に折り曲げる。ロック部材４２を折り曲げることで生じた第１短側板４ｃ側の空間に向けて、束ね板５をスライドさせ、束ね板５を綴じ箱４から取り外す。
【００６０】
第２変形実施例に係るロック部材４２によれば、表皮材５０を有しないアルバムであっても、ロック部材４２を綴じ箱４に取り付けることができ、ロック部材４２を用いて束ね板５を綴じ箱４に簡単に出し入れすることができる。
【００６１】
（ロック部材の第３変形実施例）
上記実施形態１及び第１変形実施例において、ロック部材４０及びロック部材４１は、表皮材５０に接着されて第１短側板４ｃに回動可能に接続されており、また、第２変形実施例においては、ロック部材４２は、取付溝４ｉに嵌着されているものとして説明したが、本考案はこのような構成に限定されない。次に、図１３を参照して、第３変形実施例に係るロック部材４３を説明する。なお、以下の説明において、特に言及しない場合は、実施形態１に係るアルバム１０の構成と同一の構成のアルバムであるものとする。
【００６２】
ロック部材４３は、樹脂又はゴム等の弾性材料から成り、図１３（ａ）における上面と第１短側板４ｃの上面とに不図示のビスによって固定された蝶番９によって、回動可能に固定されている。ロック部材４３は、縦断面の形状が、蝶番９の回転軸を中心とした円弧と図１３（ａ）における第１短側板４ｃにおける上辺の延長線上の辺と収容溝４ｇに面する辺に平行な辺とに画される形状から成り、綴じ箱４の短手方向に延出して形成されている。
【００６３】
束ね板５を綴じ箱４に固定する際は、図８（ａ），（ｂ）に示された手順と同様に、収容溝４ｇに束ね板５を収容させてスライドさせた後、ロック部材４３を底板４ａに向けて押圧する。ロック部材４３は、このように押圧されることで、その先端が束ね板５に当接して弾性変形することで、収容溝４ｇ内における第１短側板４ｃ近傍まで蝶番９を中心に回動可能となる。そして、例えば、収容溝４ｇが鉛直下向きとなるようにアルバム１０が向けられ、ロック部材４３の自重によって回動する方向に力が生じたとしても、図１３（ａ）のように、弾性変形が維持された状態においては、ロック部材４３と束ね板５との間の残留応力によって、ロック部材４３が収容溝４ｇから外れることを防ぐことができる。
【００６４】
束ね板５を綴じ箱４から取り外す方法については、まず、図１３（ａ）に示す束ね板５が綴じ箱４の収容溝４ｇ内に保持された状態から、図１３（ｂ）に示すように、綴じ箱４のピン孔４ｆにピン８を挿し込み、弾圧状態にある束ね板５からの摩擦力を超える力でロック部材４３を押圧する。次に、図１３（ｂ）に示すように、ピン８によって、ロック部材４３の一部を把持可能となるまで回動させたのちに、指先でロック部材４３の一部を把持する。次に、図１３（ｃ）に示すように、ロック部材４３を収容溝４ｇから抜け出るまで回動させることで生じた第１短側板４ｃ側の空間に向けて、束ね板５をスライドさせ、束ね板５を綴じ箱４から取り外す。
【００６５】
このように、ビスによって固定された蝶番９によってロック部材４３を回動可能に支持するようにすることで、ロック部材４３の回動機構を、接着剤を用いる方法や表皮材を用いる方法よりも長寿命にすることができる。
【００６６】
なお、ロック部材４３が、弾性材料から形成されているものとして説明したが、ロック部材４３ではなく、束ね板５におけるロック部材４３に当接する少なくとも一部が弾性材料から形成されているものでもあってもよい。
【００６７】
更に、蝶番９に、ロック部材４３を収容溝４ｇ方向に付勢するねじりばね等の付勢部を備える蝶番を採用するようにしてもよい。このようにすれば、より強い引張力がロック部材４３に不意に付加されたとしても、その力が、ねじりばね等の付勢力とロック部材４３と束ね板５の摩擦力との合力を超えなければ、ロック部材４３が収容溝４ｇから抜け出ることが防がれる。
【００６８】
上記、上記実施形態１においては、ピンによってロック部材を回動させるものとして説明した。特殊形状のピンに限らず、ピン孔に通り、ロック部材に届く長さのものであればその機能を発揮できるため、ユーザビリティが高い。
また、不意にロック部材が回らない程度に、束ね板とロック部材との摩擦力が高められた状態とあれば、ピンを用いずに指先で押し上げるようにしてロック部材を回動させる構成であってもよい。
【産業上の利用可能性】
【００６９】
本考案は容易に台紙を綴じ込み及び取り出すことのできるアルバムに有用である。
【符号の説明】
【００７０】
１，２  表紙
３  台紙
３ａ  綴じ孔
４  綴じ箱（収容部材）
４ａ  底板
４ｂ  長側板
４ｃ，４ｃ２  第１短側板
４ｄ  第２短側板
４ｅ  面取り部
４ｆ  ピン孔（挿通孔）
４ｇ  収容溝
４ｈ  貫通孔
４ｉ  取付溝
４０，４１，４２，４３  ロック部材（制限部材）
４０ａ  扇形部
４０ｂ  長方形部（方形部）
４０ｃ，４０ｃ２，４０ｄ  接着端部
５  束ね板（束ね部材）
５ａ  貫通孔
５ｂ  フック溝
５ｃ  第１溝部
５ｄ  第２溝部
５ｅ  切欠き部
５０  表皮材（可撓性シート）
６  綴じ棒
７  フック棒（突出部）
８  ロック解除ピン（挿通部材）
９  蝶番
１０  アルバム
【図１】
0003179933.tif 000003
【図２】
0003179933.tif 000004
【図３】
0003179933.tif 000005
【図４】
0003179933.tif 000006
【図５】
0003179933.tif 000007
【図６】
0003179933.tif 000008
【図７】
0003179933.tif 000009
【図８】
0003179933.tif 000010
【図９】
0003179933.tif 000011
【図１０】
0003179933.tif 000012
【図１１】
0003179933.tif 000013
【図１２】
0003179933.tif 000014
【図１３】
0003179933.tif 000015